【手続補正書】
【提出日】平成16年4月20日(2004.4.20)
【手続補正１】
【補正対象書類名】明細書
【補正対象項目名】発明の名称
【補正方法】変更
【補正の内容】
【発明の名称】記録装置、記録方法、情報処理装置、および情報処理方法


【手続補正２】
【補正対象書類名】明細書
【補正対象項目名】特許請求の範囲
【補正方法】変更
【補正の内容】
【特許請求の範囲】
【請求項１】
複数種の記録ヘッドを用いて画像データに基づいて記録を行う記録装置であって、
相対的に優れた顕色性の記録材用の第１の記録ヘッドと相対的に劣る顕色性の記録材用の第２の記録ヘッドとを載置可能な載置部と、
画像データを入力するインターフェース手段と、
前記インターフェースを介して入力した画像情報をデコードする手段と、を有し、
前記載置部に載置された記録ヘッドの顕色性に応じて、前記画像情報をデコードするか否かを制御することを特徴とする記録装置。
【請求項２】
デコードする前記画像情報は、１画素に対して所定ビット数のデータで構成され、前記所定ビット数のデータのうち少なくとも１ビットのデータは他のビットと異なる意味を有することを特徴とする請求項１に記載の記録装置。
【請求項３】
前記載置部に載置されている前記記録ヘッドを識別する記録ヘッド識別手段と、
前記記録ヘッド識別手段により識別された記録ヘッドが対応する記録材の顕色性に応じて、記録モードを設定する制御部と、をさらに有することを特徴とする請求項１に記載の記録装置。
【請求項４】
インターフェースを介して入力される画像データに基づいて、インクを吐出する記録ヘッドを用いて記録を行う記録装置に対し、前記画像データを出力する情報処理装置であって、
所定ビット数の前記画像データに従い、各ビットを記録の有無に対応させて行う２値記録と、デコード後の画像データに従ってインクの吐出数を制御して行う多値記録のいずれによる記録を記録装置で行うかを指定する指定手段と、
前記記録装置へ画像データを出力するためのインターフェース手段と、を有し、
前記指定手段により前記多値記録が指定されたとき、記録すべき画像の情報をコーディングして前記所定ビット数の画像データを生成し、生成した画像データを前記インターフェース手段により記録装置へ出力することを特徴とする情報処理装置。
【請求項５】
前記画像データは、１画素に対して前記所定ビット数のデータで構成される画像データであり、少なくとも１ビットは他のビットと異なる意味を有することを特徴とする請求項４に記載の情報処理装置。
【請求項６】
記録装置の載置部に載置されている前記記録ヘッドを識別する記録ヘッド識別手段と、
前記記録ヘッド識別手段による識別結果から記録材の顕色性に応じて、記録モードを設定する制御部とを有することを特徴とする請求項４に記載の情報処理装置。
【請求項７】
インターフェースを介して入力される画像データに基づいて、インクを吐出する記録ヘッドを用いて記録を行う記録装置に対し、前記画像データを出力する情報処理装置における情報処理方法であって、
所定ビット数の前記画像データに従い、各ビットを記録の有無に対応させて行う２値記録と、デコード後の画像データに従ってインクの吐出数を制御して行う多値記録のいずれによる記録を記録装置で行うかを指定する指定ステップと、
前記ステップにより前記多値記録が指定されたとき、記録すべき画像の情報をコーディングして前記所定ビット数の画像データを生成するステップと、
生成した画像データを前記インターフェース手段により記録装置へ出力するステップと、
からなることを特徴とする情報処理方法。
【請求項８】
前記画像データは、１画素に対して前記所定ビット数のデータで構成される画像データであり、少なくとも１ビットは他のビットと異なる意味を有することを特徴とする請求項７に記載の情報処理方法。
【請求項９】
インクを吐出する複数の吐出部を有する記録ヘッドを用いて、画像データに基づいて前記記録ヘッドから記録媒体にインクを吐出して記録を行うインクジェット記録装置であって、
入力された画像データがデコードを要する多値情報であるかを識別する画像データ識別手段と、
入力された画像データが前記多値情報であるとき、入力された画像データをデコーダすることにより記録に用いられる記録データを生成する生成手段と、
を有し、
入力された画像データが前記多値情報ではないと識別されたときは、入力された画像データの各ビットを記録の有無に対応させて行う２値記録を行うことを特徴とするインクジェット記録装置。
【請求項１０】
前記多値情報の画像データは、１画素に対して前記所定ビット数のデータで構成され、前記所定ビット数のうちの少なくても１ビットは他のビットと異なる意味を有することを特徴とする請求項９に記載の記録装置。
【請求項１１】
生成手段により生成した記録データに従って記録を行う多値記録モードと、入力された画像データの各ビットを記録の有無に対応させて記録を行う２値記録モードとから、記録を行う記録モードを設定する設定手段を有し、
前記設定手段は、前記画像データ識別手段による識別結果に応じて記録モードを設定することを特徴とする請求項９または１０に記載の記録装置。
【請求項１２】
相対的に優れた顕色性のインクを吐出する第１の記録ヘッドと、前記第１の記録ヘッドに対して顕色性が劣るインクを吐出する第２の記録ヘッドとを交換可能に載置する載置部と、
前記載置部に載置された記録ヘッドを識別する記録ヘッド識別手段と、
をさらに有し、
前記設定手段は、前記画像データ識別手段による識別結果と、前記記録ヘッド識別手段による識別結果とに応じて記録モードを設定することを特徴とする請求項１１に記載の記録装置。
【請求項１３】
前記多値情報の画像データのデコードは、多値化テーブルを参照して行うことを特徴とする請求項９乃至１２のいずれかに記載の記録装置。
【請求項１４】
記録を行う記録媒体に応じて異なる多値化テーブルを参照して前記多値情報をデコードすることを特徴とする請求項１３に記載の記録装置。
【請求項１５】
インクを吐出する複数の吐出部を有する記録ヘッドを用いて、画像データに基づいて前記記録ヘッドから記録媒体にインクを吐出して記録を行うインクジェット記録装置であって、相対的に優れた顕色性のインクを吐出する第１の記録ヘッドと相対的に劣る顕色性のインクを吐出する第２の記録ヘッドとを交換可能に載置可能なインクジェット記録装置における記録方法であって、
画像データを多値化した多値化情報を生成するステップと、
載置されている記録ヘッドのインクの顕色性に応じて、前記多値化情報をデコードすることにより記録に用いられる記録データを生成するステップと、
生成された前記記録データに従って記録を行うステップと、
からなることを特徴とする記録方法。
【請求項１６】
インクを吐出する複数の吐出部を有する記録ヘッドを用いて、画像データに基づいて前記記録ヘッドから記録媒体にインクを吐出して記録を行う記録方法であって、
入力された画像データがデコードを要する多値情報であるか否かを識別するステップと、
入力された前記画像データが前記多値情報であるとき、入力された画像データをデコードすることにより、インクの吐出に対応した記録データを生成するステップと、
前記記録ヘッドにより記録を行うステップと、
からなり、
入力された画像データが前記多値情報ではないと識別されたときは、入力された画像データの各ビットを記録の有無に対応させて行う２値記録を行うことを特徴とする記録方法。
【請求項１７】
前記多値情報の画像データは、１画素に対して前記所定ビット数のデータで構成され、前記所定ビット数のうちの少なくても１ビットは他のビットと異なる意味を有することを特徴とする請求項１６に記載の記録方法。
【請求項１８】
入力された画像データのデコードは、多値化テーブルを参照して、前記多値情報をデコードすることを特徴とする請求項１６に記載の記録方法。
【請求項１９】
記録を行う記録媒体に応じて異なる多値化テーブルを参照して前記多値情報をデコードすることを特徴とする請求項１８に記載の記録方法。
【請求項２０】
インクを吐出する記録ヘッドを用い、インターフェースを介して入力される画像データに応じて記録媒体上に画像を記録する記録装置であって、
前記インターフェースを介して入力される所定ビット数の画像データが、多値記録用の画像データであるか、２値記録用の画像データであるかを判別する判別手段と、
前記画像データの各ビットを記録の有無に対応させて記録を行う２値記録手段と、
前記画像データの所定ビット数の情報をデコードするデコード手段と、
前記デコード手段によりデコードされた後の画像データに従ってインクの吐出数を制御して記録を行う多値記録手段と、
前記判別手段による判別結果に応じて、入力された画像データによる画像記録を前記多値記録で行うか前記２値記録で行うかを選択する手段と、
を有することを特徴とする記録装置。
【手続補正３】
【補正対象書類名】明細書
【補正対象項目名】００２２
【補正方法】変更
【補正の内容】
【００２２】
【課題を解決するための手段】
本発明の記録装置は、複数種の記録ヘッドを用いて画像データに基づいて記録を行う記録装置であって、
相対的に優れた顕色性の記録材用の第１の記録ヘッドと相対的に劣る顕色性の記録材用の第２の記録ヘッドとを載置可能な載置部と、
画像データを入力するインターフェース手段と、
前記インターフェースを介して入力した画像情報をデコードする手段と、を有し、
前記載置部に載置された記録ヘッドの顕色性に応じて、前記画像情報をデコードするか否かを制御する。


【手続補正４】
【補正対象書類名】明細書
【補正対象項目名】００２３
【補正方法】変更
【補正の内容】
【００２３】
この場合、デコードする前記画像情報は、１画素に対して所定ビット数のデータで構成され、前記所定ビット数のデータのうち少なくとも１ビットのデータは他のビットと異なる意味を有するとしてもよい。


【手続補正５】
【補正対象書類名】明細書
【補正対象項目名】００２４
【補正方法】変更
【補正の内容】
【００２４】
さらに、前記載置部に載置されている前記記録ヘッドを識別する記録ヘッド識別手段と、
前記記録ヘッド識別手段により識別された記録ヘッドが対応する記録材の顕色性に応じて、記録モードを設定する制御部と、をさらに有するとしてもよい。


【手続補正６】
【補正対象書類名】明細書
【補正対象項目名】００２５
【補正方法】変更
【補正の内容】
【００２５】
本発明の情報処理装置は、インターフェースを介して入力される画像データに基づいて、インクを吐出する記録ヘッドを用いて記録を行う記録装置に対し、前記画像データを出力する情報処理装置であって、
所定ビット数の前記画像データに従い、各ビットを記録の有無に対応させて行う２値記録と、デコード後の画像データに従ってインクの吐出数を制御して行う多値記録のいずれによる記録を記録装置で行うかを指定する指定手段と、
前記記録装置へ画像データを出力するためのインターフェース手段と、を有し、
前記指定手段により前記多値記録が指定されたとき、記録すべき画像の情報をコーディングして前記所定ビット数の画像データを生成し、生成した画像データを前記インターフェース手段により記録装置へ出力する。


【手続補正７】
【補正対象書類名】明細書
【補正対象項目名】００２６
【補正方法】変更
【補正の内容】
【００２６】
この場合、前記画像データは、１画素に対して前記所定ビット数のデータで構成される画像データであり、少なくとも１ビットは他のビットと異なる意味を有するとしてもよい。


【手続補正８】
【補正対象書類名】明細書
【補正対象項目名】００２７
【補正方法】変更
【補正の内容】
【００２７】
さらに、記録装置の載置部に載置されている前記記録ヘッドを識別する記録ヘッド識別手段と、
前記記録ヘッド識別手段による識別結果から記録材の顕色性に応じて、記録モードを設定する制御部とを有することとしてもよい。


【手続補正９】
【補正対象書類名】明細書
【補正対象項目名】００２８
【補正方法】変更
【補正の内容】
【００２８】
本発明の情報処理方法は、インターフェースを介して入力される画像データに基づいて、インクを吐出する記録ヘッドを用いて記録を行う記録装置に対し、前記画像データを出力する情報処理装置における情報処理方法であって、
所定ビット数の前記画像データに従い、各ビットを記録の有無に対応させて行う２値記録と、デコード後の画像データに従ってインクの吐出数を制御して行う多値記録のいずれによる記録を記録装置で行うかを指定する指定ステップと、
前記ステップにより前記多値記録が指定されたとき、記録すべき画像の情報をコーディングして前記所定ビット数の画像データを生成するステップと、
生成した画像データを前記インターフェース手段により記録装置へ出力するステップと、
からなる。


【手続補正１０】
【補正対象書類名】明細書
【補正対象項目名】００２９
【補正方法】削除
【補正の内容】
【手続補正１１】
【補正対象書類名】明細書
【補正対象項目名】００３０
【補正方法】変更
【補正の内容】
【００３０】
上記の情報処理方法において、前記画像データは、１画素に対して前記所定ビット数のデータで構成される画像データであり、少なくとも１ビットは他のビットと異なる意味を有することとしてもよい。


【手続補正１２】
【補正対象書類名】明細書
【補正対象項目名】００３１
【補正方法】削除
【補正の内容】
【手続補正１３】
【補正対象書類名】明細書
【補正対象項目名】００３２
【補正方法】削除
【補正の内容】
【手続補正１４】
【補正対象書類名】明細書
【補正対象項目名】００３３
【補正方法】削除
【補正の内容】
【手続補正１５】
【補正対象書類名】明細書
【補正対象項目名】００３４
【補正方法】削除
【補正の内容】
【手続補正１６】
【補正対象書類名】明細書
【補正対象項目名】００３５
【補正方法】変更
【補正の内容】
【００３５】
本発明の他の形態によるインクジェット記録装置は、インクを吐出する複数の吐出部を有する記録ヘッドを用いて、画像データに基づいて前記記録ヘッドから記録媒体にインクを吐出して記録を行うインクジェット記録装置であって、
入力された画像データがデコードを要する多値情報であるかを識別する画像データ識別手段と、
入力された画像データが前記多値情報であるとき、入力された画像データをデコーダすることにより記録に用いられる記録データを生成する生成手段と、
を有し、
入力された画像データが前記多値情報ではないと識別されたときは、入力された画像データの各ビットを記録の有無に対応させて行う２値記録を行うことを特徴とする。


【手続補正１７】
【補正対象書類名】明細書
【補正対象項目名】００３６
【補正方法】変更
【補正の内容】
【００３６】
この場合、前記多値情報の前記画像データは、１画素に対して前記所定ビット数のデータで構成され、前記所定ビット数のうちの少なくても１ビットは他のビットと異なる意味を有することとしてもよい。


【手続補正１８】
【補正対象書類名】明細書
【補正対象項目名】００３７
【補正方法】変更
【補正の内容】
【００３７】
また、生成手段により生成した記録データに従って記録を行う多値記録モードと、入力された画像データの各ビットを記録の有無に対応させて記録を行う２値記録モードとから、記録を行う記録モードを設定する設定手段を有し、
前記設定手段は、前記画像データ識別手段による識別結果に応じて記録モードを設定することとしてもよい。


【手続補正１９】
【補正対象書類名】明細書
【補正対象項目名】００３８
【補正方法】変更
【補正の内容】
【００３８】
この場合、相対的に優れた顕色性のインクを吐出する第１の記録ヘッドと、前記第１の記録ヘッドに対して顕色性が劣るインクを吐出する第２の記録ヘッドとを交換可能に載置する載置部と、
前記載置部に載置された記録ヘッドを識別する記録ヘッド識別手段と、
をさらに有し、
前記設定手段は、前記画像データ識別手段による識別結果と、前記記録ヘッド識別手段による識別結果とに応じて記録モードを設定することとしてもよい。


【手続補正２０】
【補正対象書類名】明細書
【補正対象項目名】００３９
【補正方法】削除
【補正の内容】
【手続補正２１】
【補正対象書類名】明細書
【補正対象項目名】００４０
【補正方法】変更
【補正の内容】
【００４０】
上記のいずれにおいても、多値化情報のデコードは、多値化テーブルを参照して行うこととしてもよい。


【手続補正２２】
【補正対象書類名】明細書
【補正対象項目名】００４１
【補正方法】削除
【補正の内容】
【手続補正２３】
【補正対象書類名】明細書
【補正対象項目名】００４２
【補正方法】変更
【補正の内容】
【００４２】
また、デコードする手段は、記録を行う記録媒体に応じて異なる多値化テーブルを参照して多値情報をデコードすることとしてもよい。


【手続補正２４】
【補正対象書類名】明細書
【補正対象項目名】００４３
【補正方法】削除
【補正の内容】
【手続補正２５】
【補正対象書類名】明細書
【補正対象項目名】００４４
【補正方法】変更
【補正の内容】
【００４４】
本発明のインクジェット記録方法は、インクを吐出する複数の吐出部を有する記録ヘッドを用いて、画像データに基づいて前記記録ヘッドから記録媒体にインクを吐出して記録を行うインクジェット記録装置であって、相対的に優れた顕色性のインクを吐出する第１の記録ヘッドと相対的に劣る顕色性のインクを吐出する第２の記録ヘッドとを交換可能に載置可能なインクジェット記録装置における記録方法であって、
画像データを多値化した多値化情報を生成するステップと、
載置されている記録ヘッドのインクの顕色性に応じて、前記多値化情報をデコードすることにより記録に用いられる記録データを生成するステップと、
生成された前記記録データに従って記録を行うステップと、
からなることを特徴とする。


【手続補正２６】
【補正対象書類名】明細書
【補正対象項目名】００４５
【補正方法】削除
【補正の内容】
【手続補正２７】
【補正対象書類名】明細書
【補正対象項目名】００４６
【補正方法】削除
【補正の内容】
【手続補正２８】
【補正対象書類名】明細書
【補正対象項目名】００４７
【補正方法】変更
【補正の内容】
【００４７】
本発明の他の形態によるインクジェット記録方法は、インクを吐出する複数の吐出部を有する記録ヘッドを用いて、画像データに基づいて前記記録ヘッドから記録媒体にインクを吐出して記録を行う記録方法であって、
入力された画像データがデコードを要する多値情報であるか否かを識別するステップと、
入力された前記画像データが前記多値情報であるとき、入力された画像データをデコードすることにより、インクの吐出に対応した記録データを生成するステップと、
前記記録ヘッドにより記録を行うステップと、
からなり、
入力された画像データが前記多値情報ではないと識別されたときは、入力された画像データの各ビットを記録の有無に対応させて行う２値記録を行うことを特徴とする。


【手続補正２９】
【補正対象書類名】明細書
【補正対象項目名】００４８
【補正方法】変更
【補正の内容】
【００４８】
この場合、多値情報の前記画像データは、１画素に対して前記所定ビット数のデータで構成され、前記所定ビット数のうちの少なくても１ビットは他のビットと異なる意味を有することとしてもよい。


【手続補正３０】
【補正対象書類名】明細書
【補正対象項目名】００４９
【補正方法】削除
【補正の内容】
【手続補正３１】
【補正対象書類名】明細書
【補正対象項目名】００５０
【補正方法】削除
【補正の内容】
【手続補正３２】
【補正対象書類名】明細書
【補正対象項目名】００５１
【補正方法】削除
【補正の内容】
【手続補正３３】
【補正対象書類名】明細書
【補正対象項目名】００５２
【補正方法】変更
【補正の内容】
【００５２】
この場合、入力された画像データのデコードは、多値化テーブルを参照して、前記多値情報をデコードすることしてもよい。


【手続補正３４】
【補正対象書類名】明細書
【補正対象項目名】００５３
【補正方法】削除
【補正の内容】
【手続補正３５】
【補正対象書類名】明細書
【補正対象項目名】００５４
【補正方法】変更
【補正の内容】
【００５４】
この場合、前記デコードは、記録を行う記録媒体に応じて異なる多値化テーブルを参照して多値化情報をデコードすることとしてもよい。


【手続補正３６】
【補正対象書類名】明細書
【補正対象項目名】００５５
【補正方法】変更
【補正の内容】
【００５５】
本発明の他の形態による記録装置は、インクを吐出する記録ヘッドを用い、インターフェースを介して入力される画像データに応じて記録媒体上に画像を記録する記録装置であって、
前記インターフェースを介して入力される所定ビット数の画像データが、多値記録用の画像データであるか、２値記録用の画像データであるかを判別する判別手段と、
前記画像データの各ビットを記録の有無に対応させて記録を行う２値記録手段と、
前記画像データの所定ビット数の情報をデコードするデコード手段と、
前記デコード手段によりデコードされた後の画像データに従ってインクの吐出数を制御して記録を行う多値記録手段と、
前記判別手段による判別結果に応じて、入力された画像データによる画像記録を前記多値記録で行うか前記２値記録で行うかを選択する手段と、
を有することを特徴とする記録装置。


【手続補正３７】
【補正対象書類名】明細書
【補正対象項目名】００５６
【補正方法】削除
【補正の内容】
【手続補正３８】
【補正対象書類名】明細書
【補正対象項目名】００５７
【補正方法】削除
【補正の内容】
【手続補正３９】
【補正対象書類名】明細書
【補正対象項目名】００５８
【補正方法】削除
【補正の内容】
【手続補正４０】
【補正対象書類名】明細書
【補正対象項目名】００５９
【補正方法】削除
【補正の内容】
【手続補正４１】
【補正対象書類名】明細書
【補正対象項目名】００６０
【補正方法】削除
【補正の内容】
【手続補正４２】
【補正対象書類名】明細書
【補正対象項目名】００６１
【補正方法】削除
【補正の内容】
【手続補正４３】
【補正対象書類名】明細書
【補正対象項目名】００６２
【補正方法】削除
【補正の内容】
【手続補正４４】
【補正対象書類名】明細書
【補正対象項目名】００６３
【補正方法】削除
【補正の内容】
【手続補正４５】
【補正対象書類名】明細書
【補正対象項目名】００６４
【補正方法】削除
【補正の内容】